(57)【特許請求の範囲】
【請求項１】
橋梁の下部構造の天端に、複数のブロックからなる仮支承コンクリートを設置する工程（ａ）と、
桁を前記仮支承コンクリートで支持しつつ張出し架設する工程（ｂ）と、
前記桁の完成後、前記複数のブロックのうち仮受けジャッキの設置予定位置に設置したブロックを撤去する工程（ｅ）と、
前記下部構造の天端に仮受けジャッキを設置し、上載荷重を受け替える工程（ｃ）と、
前記複数のブロックを撤去する工程（ｄ）と、
を具備し、
前記工程（ｃ）で、前記工程（ｅ）でブロックを撤去した箇所に前記仮受けジャッキを設置し、
前記工程（ｄ）で、前記複数のブロックのうち残りのブロックを撤去することを特徴とする仮支承コンクリートの撤去方法。
【請求項２】
前記工程（ａ）で設置されるブロックの数および大きさは、
前記工程（ｅ）で、仮受けジャッキの設置予定位置に設置したブロックを撤去した後に、残りのブロックで上載荷重を受けることができ、
前記工程（ｃ）で、前記工程（ｅ）でブロックを撤去した箇所に前記仮受けジャッキが設置できるように決定されることを特徴とする請求項１記載の仮支承コンクリートの撤去方法。
【請求項３】
前記工程（ａ）で、前記仮支承コンクリートの上面および下面に縁切り用の部材を設置することを特徴とする請求項１または請求項２に記載の仮支承コンクリートの撤去方法。
【請求項４】
前記工程（ｄ）、前記工程（ｅ）で、撤去するブロックを搬出可能な大きさに分割することを特徴とする請求項１から請求項３のいずれかに記載の仮支承コンクリートの撤去方法。
【請求項５】
橋梁の下部構造の天端に、複数のブロックからなる仮支承コンクリートを設置する工程（ａ）と、
桁を前記仮支承コンクリートで支持しつつ張出し架設する工程（ｂ）と、
前記下部構造の天端に仮受けジャッキを設置し、上載荷重を受け替える工程（ｃ）と、
前記複数のブロックを撤去する工程（ｄ）と、
を具備し、
前記工程（ａ）で、隣接する前記ブロックの間に目地材を設けることを特徴とする仮支承コンクリートの撤去方法。
【請求項６】
前記仮受けジャッキは、ロック機能付きの油圧ジャッキであり、前記工程（ｃ）で上載荷重を受け替えた後にロックすることを特徴とする請求項１から請求項５のいずれかに記載の仮支承コンクリートの撤去方法。
【発明の詳細な説明】
【技術分野】
【０００１】
本発明は、仮支承コンクリートの撤去方法に関するものである。
【背景技術】
【０００２】
従来、橋梁の桁を張出し架設する際には、下部構造の天端に仮支承コンクリートを設置して一時的に桁の荷重を受ける。そして、桁の張出し架設終了後に仮支承コンクリートを取り壊し、仮支承コンクリートで受けていた上載荷重を本支承で受けかえる。仮支承コンクリートは、人力によりブレーカで破砕して取り壊される。また、境界面がテーパ部となった２つの部材を固定具で固定して仮支承として用いた後、２つの部材の固定を解除することにより、仮支承を破壊せずに分解して撤去する方法（例えば、特許文献１参照）や、仮支承の内部に複数の孔を設けておき、使用後に孔に力を作用させて仮支承を破壊する方法（例えば、特許文献２参照）が提案されている。
【先行技術文献】
【特許文献】
【０００３】
【特許文献１】特開昭−４９−６５６２９号公報
【特許文献２】特開昭５９−１７０３０７号公報
【発明の概要】
【発明が解決しようとする課題】
【０００４】
しかしながら、仮支承コンクリートをブレーカで取り壊すと、撤去の際に過大な騒音や振動が発生する。騒音の少ないコアドリルやワイヤソー等で取り壊す場合、仮支承コンクリートが破砕され、本支承に上部工の荷重を受け替えた時に支承が弾性変形して沈むため、コアドリル等がコンクリートに挟まって動かなくなるという問題がある。
【０００５】
本発明は、前述した問題点に鑑みてなされたもので、その目的とすることは、撤去時の騒音および振動を低減し、周辺環境への影響を抑制できる仮支承コンクリートの撤去方法を提供することである。
【課題を解決するための手段】
【０００６】
前述した目的を達成するために第１の発明は、橋梁の下部構造の天端に、複数のブロックからなる仮支承コンクリートを設置する工程（ａ）と、桁を前記仮支承コンクリートで支持しつつ張出し架設する工程（ｂ）と、前記桁の完成後、前記複数のブロックのうち仮受けジャッキの設置予定位置に設置したブロックを撤去する工程（ｅ）と、前記下部構造の天端に仮受けジャッキを設置し、上載荷重を受け替える工程（ｃ）と、前記複数のブロックを撤去する工程（ｄ）と、を具備し、前記工程（ｃ）で、前記工程（ｅ）でブロックを撤去した箇所に前記仮受けジャッキを設置し、前記工程（ｄ）で、前記複数のブロックのうち残りのブロックを撤去することを特徴とする仮支承コンクリートの撤去方法である。
【０００８】
工程（ｅ）を設ける場合、工程（ａ）で設置されるブロックの数および大きさは、工程（ｅ）で、仮受けジャッキの設置予定位置に設置したブロックを撤去した後に残りのブロックで上載荷重を受けることができ、工程（ｃ）で、工程（ｅ）でブロックを撤去した箇所に仮受けジャッキが設置できるように決定される。
【０００９】
工程（ａ）では、必要に応じて、仮支承コンクリートの上面および下面に縁切り用の部材を設置する。
第２の発明は、橋梁の下部構造の天端に、複数のブロックからなる仮支承コンクリートを設置する工程（ａ）と、桁を前記仮支承コンクリートで支持しつつ張出し架設する工程（ｂ）と、前記下部構造の天端に仮受けジャッキを設置し、上載荷重を受け替える工程（ｃ）と、前記複数のブロックを撤去する工程（ｄ）と、を具備し、前記工程（ａ）で、隣接する前記ブロックの間に目地材を設けることを特徴とする仮支承コンクリートの撤去方法である。
【００１０】
工程（ｄ）、工程（ｅ）では、コアドリル等を用いて、撤去するブロックを搬出可能な大きさに分割する。工程（ｃ）で設置する仮受けジャッキは、例えば、ロック機能付きの油圧ジャッキであり、工程（ｃ）で上載荷重を受け替えた後にロックする。
【００１１】
本発明では、仮支承コンクリートを複数のブロックで構成する。そして、桁を張出し架設した後、仮支承コンクリートを構成する所定のブロックを撤去して仮受けジャッキを設置し、上載荷重を受け替えて残りのブロックを撤去する。これにより、仮支承コンクリートを、ブレーカを用いることなく、コアドリル等の低騒音工法で分割して容易に搬出することができる。
【発明の効果】
【００１２】
本発明によれば、撤去時の騒音および振動を低減し、周辺環境への影響を抑制できる仮支承コンクリートの撤去方法を提供できる。
【図面の簡単な説明】
【００１３】
【図１】橋脚１と桁７との接合部付近の側面図
【図２】本支承１３および仮支承コンクリート５の水平断面図
【図３】橋脚１と桁７との接合部付近の垂直断面図
【図４】仮支承コンクリート５のブロック５ａを撤去する工程を示す図
【図５】仮受けジャッキ２１を設置する工程を示す図
【図６】仮支承コンクリート５のブロック５ｂを撤去する工程を示す図
【図７】仮受けジャッキ２１を撤去する工程を示す図
【発明を実施するための形態】
【００１４】
以下、図面に基づいて、本発明の実施の形態について詳細に説明する。図１は、橋脚１と桁７との接合部付近の側面図、図２は、本支承１３および仮支承コンクリート５の水平断面図である。図２は、図１に示す矢印Ａ−Ａによる断面図である。図３は、橋脚１と桁７との接合部付近の垂直断面図である。図３は、図１に示す矢印Ｂ−Ｂによる断面図である。
【００１５】
図１から図３に示すように、橋梁２は、橋脚１、本支承１３、桁７等からなる。桁７は、下部構造である橋脚１の天端３に設けられた本支承１３に支持される。橋梁２を構築する際には、橋脚１の天端３に仮支承コンクリート５が設置される。また、橋脚１と仮支承コンクリート５と桁７とを貫通するＰＣ鋼棒９が設置される。
【００１６】
仮支承コンクリート５は、図２、図３に示すように、例えば、本支承１３の両側方に設置される。仮支承コンクリート５は、ブロック５ａ、ブロック５ｂ、ビニールシート１５ａ、ビニールシート１５ｂ、目地材１７等からなる。
【００１７】
ブロック５ａ、ブロック５ｂは、直方体のコンクリート塊である。隣接するブロック５、ブロック５ｂの間には、目地材１７が設置される。ブロック５ａには、鉛直方向のシース１０が設けられる。シース１０には、ＰＣ鋼棒９が挿通される。
【００１８】
ビニールシート１５ａ、ビニールシート１５ｂは、縁切り用の部材である。ビニールシート１５ａは、仮支承コンクリート５の下面２７と橋脚１の天端３との間に配置される。ビニールシート１５ｂは、仮支承コンクリート５の上面２５と桁７の下面１１との間に配置される。ビニールシート１５ａ、ビニールシート１５ｂは、仮支承コンクリート５の下面２７、上面２５の全面に敷設される。
【００１９】
橋梁２を構築するには、まず、橋脚１を形成し、橋脚１の天端３に本支承１３を設置する。また、橋脚１にＰＣ鋼棒９を設置する。さらに、本支承１３の設置と前後して、橋脚１の天端３にビニールシート１５ａを敷設し、ビニールシート１５ａの上方に仮支承コンクリート５を設置する。
【００２０】
仮支承コンクリート５は、コンクリートを複数のブロック５ａ、ブロック５ｂに分割して打設して形成する。ブロック５ａのコンクリートを打設する際には、あらかじめＰＣ鋼棒９をシース１０に挿通しておくのが望ましい。隣接するブロック５ａ、ブロック５ｂの間には、目地材１７を配置する。仮支承コンクリート５の形成後、仮支承コンクリート５の上面２５にビニールシート１５ｂを敷設する。
【００２１】
次に、桁７の一部を仮支承コンクリート５上に設置し、仮固定用のＰＣ鋼棒９を用いて橋脚１と桁７とを仮固定する。そして、桁７を張出し架設する。このとき、桁７による鉛直方向の荷重は仮支承コンクリート５で支持される。また、水平方向の荷重は、桁７と橋脚１とにまたがるように埋め込んだＨ鋼１２で支持される。仮支承コンクリート５は、桁７の最大重量が載ってもつぶれないものとする。桁７の張出し架設が終了した後、ＰＣ鋼棒９による橋脚１と桁７との仮固定を解放し、ＰＣ鋼棒９を撤去する。
【００２２】
ＰＣ鋼棒９を撤去した後、仮支承コンクリート５を撤去する。図４は、仮支承コンクリート５のブロック５ａを撤去する工程を示す図である。仮支承コンクリート５を撤去するには、まず、コアドリルを用いて、図４に示すように、ブロック５ａからコア２３を抜く。ブロック５ａは、水平方向のコア２３を連続して抜くことにより、上下に２分割される。そして、分割したブロック５ａを撤去する。
【００２３】
ブロック５ａは、ビニールシート１５ａによって橋脚１と縁切りされ、ビニールシート１５ｂにより桁７と縁切りされている。そのため、ブロック５ａは、橋脚１や桁７との間の摩擦が少なく、容易に撤去できる。ブロック５ａは、防音対策を十分に施した場所に運搬した後、破砕する。
【００２４】
図５は、仮受けジャッキ２１を設置する工程を示す図である。ブロック５ａを撤去した後、図５に示すように、ブロック５ａを撤去した箇所の空間１９に仮受けジャッキ２１を設置する。そして、桁７の上載荷重を仮受けジャッキ２１で受け替える。仮受けジャッキ２１は、例えば、ロック機能付きの油圧ジャッキとする。仮受けジャッキ２１は、上載荷重の受け替え完了後、ロックされる。
【００２５】
図６は、仮支承コンクリート５のブロック５ｂを撤去する工程を示す図である。図６に示す工程では、仮支承コンクリート５の残りのブロック５ｂを、図４に示すブロック５ａと同様に、コアドリルでコア抜きをして分割し、撤去する。
【００２６】
ブロック５ｂは、ブロック５ａと同様に、ビニールシート１５ａによって橋脚１と縁切りされ、ビニールシート１５ｂにより桁７と縁切りされている。そのため、ブロック５ｂは、橋脚１や桁７との間の摩擦が少なく、容易に撤去できる。ブロック５ｂは、ブロック５ａと同様に、防音対策を十分に施した場所に運搬した後、破砕する。
【００２７】
図７は、仮受けジャッキ２１を撤去する工程を示す図である。図７に示す工程では、仮受けジャッキ２１をジャッキダウンして上載荷重を本支承１３で受け替え、仮受けジャッキ２１を撤去する。また、ビニールシート１５ａ、ビニールシート１５ｂを撤去する。
【００２８】
なお、仮支承コンクリート５の数および大きさは、桁７の張出し架設中にＰＣ鋼棒９の機能を損なわず、ブロック５ａを撤去した際に残りのブロック５ｂで桁７の上載荷重を受けることができ、ブロック５ａを撤去した後に仮受けジャッキ２１を設置して荷重を受け替えるための空間１９が確保できるように決定する。
【００２９】
このように、本実施の形態では、仮支承コンクリート５を複数のブロック５ａ、ブロック５ｂで構成し、ブロック５ａを撤去して設置した仮受けジャッキ２１で桁７の上載荷重を受け替えた後、残りのブロック５ｂを撤去する。ブロック５ａ、ブロック５ｂをコアドリル等で分割して撤去することにより、大規模な仮支承コンクリートをブレーカを用いて破壊する場合と比較して、撤去時の騒音や振動を低減し、周辺環境への影響を抑制できる。
【００３０】
本実施の形態では、ブロック５ａ、ブロック５ｂをコアドリルを用いて分割したが、ワイヤソーやコンクリートバースタ、静的破砕材等の低騒音工法を用いて分割してもよい。本実施の形態では、ブロック５ａ、ブロック５ｂを上下に２分割して撤去したが、分割数や分割位置はこれに限らない。ブロック５ａ、ブロック５ｂは、必要に応じて搬出可能な大きさに分割し、撤去する。
【００３１】
本実施の形態では、桁７の張出し架設時の水平荷重をＨ鋼１２で受けたが、水平力の大きさによっては、仮支承コンクリート５と橋脚１との摩擦で受けてもよい。この場合は、仮支承コンクリート５と橋脚１との摩擦係数を確保するため、ビニールシート１５ａ、ビニールシート１５ｂを設置しない。
【００３２】
桁７の張出し架設時には、鉛直荷重を仮支承コンクリート５で受け、水平荷重を本支承１３で受けてもよい。この場合、図２に示すＨ鋼１２は設置されない。
【００３３】
本実施の形態では、縁切り用部材であるビニールシート１５ａ、ビニールシート１５ｂを仮支承コンクリート５の下面２７、上面２５の全面に敷設したが、目地材１７の部分には縁切り用部材を敷設しなくてもよい。縁切り用部材は、ブロック５ａおよびブロック５ｂと橋脚１や桁７との縁切りができるように敷設すればよい。縁切り用部材として、ビニールシート以外に、薄い鉄板や目地材等を用いてもよい。
【００３４】
図５に示す工程では、ブロック５ａを撤去する際、ブロック５ａの下面２７のビニールシート１５ａおよび上面２５のビニールシート１５ｂを残置したが、ビニールシート１５ａおよびビニールシート１５ｂをブロック５ａと同時に撤去してもよい。この場合、仮受けジャッキ２１を橋脚１の天端３に直接設置する。
【００３５】
本実施の形態では、仮支承コンクリート５の一部のブロック５ａにシース１０を設け、ＰＣ鋼棒９を挿通したが、橋脚１の断面積が大きく、必要な面積の仮支承コンクリートを配置しても、なおスペースがあり、かつ、仮支承コンクリートの外にＰＣ鋼棒を配置してもＰＣ鋼棒が桁の内部で干渉しない場合には、ＰＣ鋼棒を避けて仮支承コンクリートを設置してもよい。
【００３６】
仮支承コンクリートを構成するブロックの数や形状は、上述したものに限らない。仮支承コンクリートを構成するブロックの数や形状は、桁の張出し架設中にＰＣ鋼棒の機能を損なわず、ブロックの一部を撤去した際に残りのブロックで桁の上載荷重を受けることができ、ブロックの一部を撤去した後に仮受けジャッキで荷重を受け替えるための空間が確保できるものであればよい。
【００３７】
本実施の形態では、仮支承コンクリート５を構成するブロックのうち一部のブロック５ａを撤去した空間１９に仮受けジャッキ２１を設置して荷重を受け替えた後、残りのブロック５ｂを撤去したが、橋脚１の断面積が大きく、必要な面積の仮支承コンクリートを配置してもなおスペースがある場合には、ブロックを撤去することなく仮受けジャッキを設置して荷重を受け替えた後、全てのブロックを撤去してもよい。
【００３８】
以上、添付図面を参照しながら本発明にかかる仮支承コンクリートの撤去方法の好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００３９】
１………橋脚
３………天端
５………仮支承コンクリート
７………桁
１１、２７………下面
１３………本支承
１５ａ、１５ｂ………ビニールシート
１７………目地材
２１………仮受けジャッキ
２５………上面
【図１】
0005439278.tif 000002
【図２】
0005439278.tif 000003
【図３】
0005439278.tif 000004
【図４】
0005439278.tif 000005
【図５】
0005439278.tif 000006
【図６】
0005439278.tif 000007
【図７】
0005439278.tif 000008